(57)【要約】【課題】非吸水性面に描画した後、布などを利用して擦れば消える消去性インキを内蔵し、必要に応じて自身が望む形状に描画することが可能で、必要のない場合には描画された画像を消去できる消去性インキ内蔵噴霧器を提供する。【解決手段】円筒形状の圧力容器１０と、圧力容器１０の上部に設置された噴射ノズル３０と、噴射ノズル３０に連結されて圧力容器１０の内部に設置された吸入管１２と、圧力容器１０の上部に設置されて噴射ノズル３０の開閉を行うプッシュボタン１４と、圧力容器１０の内部に充填された所定圧力のガス２２と、圧力容器１０の内部に注入されて溶剤と溶剤に可溶である樹脂と剥離剤と着色剤を含む消去性インキ２０からなる消去性インキ内蔵噴霧器を提供する。消去性インキ２０は溶剤１０〜８０重量％、剥離剤０．５〜２０重量％、着色剤１〜５０重量％、残り樹脂、湿潤剤、界面活性剤、防腐剤、防錆剤、ＰＨ調整剤などを含む。【選択図】　　　図１
2004089983.tif 000002
【特許請求の範囲】
【請求項１】
ａ．圧力容器と、
ｂ．前記圧力容器の上部に設置された噴射ノズルと、
ｃ．前記噴射ノズルに連結され、圧力容器の内部に設置された吸入管と、
ｄ．前記圧力容器の上部に設置されて前記噴射ノズルの開閉を制御するプッシュボタンと、
ｅ．前記圧力容器の内部に充填された所定圧力のガスと、
ｆ．前記圧力容器の内部に注入されて溶剤、前記溶剤に可溶である樹脂、剥離剤および着色剤を含む消去性インキと、
を有することを特徴とする消去性インキが内蔵された噴霧器。
【請求項２】
前記消去性インキは前記溶剤１０〜８０重量％、前記剥離剤０．５〜２０重量％、前記着色剤１〜５０重量％及び前記樹脂からなることを特徴とする請求項１に記載の消去性インキが内蔵された噴霧器。
【請求項３】
前記消去性インキの
ａ．前記溶剤が
ａ１．エタノール、プロパノール、イソプロパノール、ブタノール及びイソブタノールなどからなるアルコール類と、
ａ２．メチルグリコール、ブチルグリコール、プロピレングリコールモノメチルエーテル、プロピレングリコール及びモノエチルエーテルなどからなるグリコールエーテル類と、
ａ３．酢酸ブチル及び酢酸エチルなどからなるエステル類と、
ａ４．メチルエチルケトン及びメチルイソブチルケトンなどからなるケトン類からなるグループから選定され、
ｂ．前記剥離剤が常温で液状であるイソステアリン酸イソセチル、パルミチン酸イソセチルなどからなる高級脂肪酸エステルなどのエステル化合物から選定され、
ｃ．前記着色剤はポリ塩化ビニル、ポリアミド、ベンゾグアミン、メラミンなどからなる樹脂をベースレジンとして使用した蛍光顔料、通常の顔料または染料からなるグループから選定されることを特徴とする、請求項１または２に記載の消去性インキが内蔵された噴霧器。
【請求項４】
前記消去性インキは湿潤剤、界面活性剤、防腐剤、防錆剤及びＰＨ調整剤の中で一つ以上を選択してさらに含む、請求項１乃至３のいずれかに記載の消去性インキが内蔵された噴霧器。
【発明の詳細な説明】
【０００１】
【発明が属する技術分野】
本発明は消去性インキが内蔵された噴霧器に関し、特に自動車の外部塗装面やガラス窓など非吸水性表面に噴射し、多様な形状を描画でき、描画された画像が不要になった場合には容易に除去できる消去性インキを内蔵した噴霧器に関する。
【０００２】
【従来の技術】
一般に噴霧器は殺虫剤や治療剤などの液状薬剤、ペイント、化粧品などを所定圧力のガスと共に圧力容器に充填した後、必要に応じて圧力容器の上部に設置されるプッシュボタンを押さえてガスの圧力によって内蔵された薬剤やペイントなどが噴霧（噴射）されるように構成される。
【０００３】
前記噴霧器においてペイントが内蔵された製品は、自動車事故が起こった時に位置標識を描いたり塗装剥離個所に塗る場合、金属や木材などにペイントを噴射して塗色しようとする場合などに主に用いられる。
【０００４】
従来のペイントが内蔵された噴霧器においては１度塗色された状態ではこれを消去することが困難であった。したがって、半永久的に塗色された状態を維持しようとする場合にだけ適用が可能である。
【０００５】
最近は多くの人が自動車を所有しており、各々目につく様々なアクセサリまたはステッカーなどを付着して自身だけの特色を示そうとする傾向が強い。特に、結婚式での新郎新婦が乗る自動車や特別な行事用車両などの場合にはリボンや帯紙などを利用して多様にデコレーション（装飾）することも流行している。
【０００６】
【発明が解決しようとする課題】
本発明は前記のような点に着眼して開発したものであって、非吸水性面に描画しても布などで擦れば容易に消える（除去される）消去性インキを利用し、必要に応じて利用者が望む形状に描画することが可能で、描画後に画像が不要になった場合には画像を消去できる消去性インキが内蔵された噴霧器を提供することにその目的がある。
【０００７】
【課題を解決するための手段】
本発明が提案する消去性インキが内蔵された噴霧器は、圧力容器と、前記圧力容器の上部に設置された噴射ノズルと、前記噴射ノズルに連結されて圧力容器の内部に設置された吸入管と、前記圧力容器の上部に設置されて前記噴射ノズルの開閉を行うプッシュボタンと、前記圧力容器の内部に充填された所定圧力のガスと、前記圧力容器の内部に注入されて溶剤と前記溶剤に可溶である樹脂と剥離剤と着色剤を含む消去性インキからなる。
【０００８】
前記消去性インキは大略溶剤１０〜８０重量％、剥離剤０．５〜２０重量％、着色剤１〜５０重量％、残りに樹脂、湿潤剤、界面活性剤、防腐剤、防錆剤、ＰＨ調整剤などを含む。
【０００９】
前記消去性インキにおいて溶剤はエタノール、プロパノール、イソプロパノール、ブタノール、イソブタノールなどからなるアルコール類、メチルグリコール、ブチルグリコール、プロピレングリコールモノメチルエーテル、プロピレングリコール、モノエチルエーテルなどからなるグリコールエーテル類、酢酸ブチル、酢酸エチルなどからなるエステル類、メチルエチルケトン、メチルイソブチルケトンなどからなるケトン類からなるグループから選定し、前記剥離剤は常温で液状であるイソステアリン酸イソセチル、パルミチン酸イソセチルなどからなる高級脂肪酸エステルなどのエステル化合物から選定し、前記着色剤はポリ塩化ビニル（ＰＶＣ）、ポリアミド、ベンゾグアミン、メラミンなどの樹脂をベースレジンとして使用した蛍光顔料、通常の顔料または染料からなるグループから選定する。
【００１０】
【発明の実施の形態】
次に、本発明による消去性インキが内蔵された噴霧器の好ましい実施の形態を図面を参照して詳細に説明する。
【００１１】
まず、本発明による消去性インキが内蔵された噴霧器の一実施の形態は図１に示したように、円筒形状の圧力容器１０と、圧力容器１０の上部に設置された噴射ノズル３０と、噴射ノズル３０に連結されて圧力容器１０の内部に設置された吸入管１２と、圧力容器１０の上部に設置されて噴射ノズル３０の開閉を行うプッシュボタン１４と、圧力容器１０の内部に充填された所定圧力のガス２２と、圧力容器１０の内部に注入されて溶剤と前記溶剤に可溶である樹脂と剥離剤と着色剤を含む消去性インキ２０からなる。なお、圧力容器として円筒形状が多く使われるとしても、他の形状、例えばプラスチックや硬質ゴムなどの球状形態でも差し支えない。球状の場合には、保存上の不安定性が予想されるので、プッシュボタン１４のロック機構を併用することが好ましい。また、インキ及びガスの注入を容易にするため、遊戯用ゴムボールの空気注入用臍のようなインキ注入用臍を付け、ここから注入してもよい。
【００１２】
前述した圧力容器１０、噴射ノズル３０、吸入管１２及びプッシュボタン１４の構成は一般の噴霧器に使用する構成を適用して実施することが可能であるので詳細な説明は省略する。
【００１３】
前記ガス２２はフレオンガスやＬＰＧ、ＬＮＧなどの多様なガスを用いることが可能であり、人体に無害で環境汚染の影響が少ないガスを採用するのが好ましい。また、ガス２２は消去性インキ２０と化学的に反応しない成分で構成されたものを用いるのが好ましい。
【００１４】
前記のように所定圧力のガス２２を消去性インキ２０と共に圧力容器１０の内部に充填し、使用する前に圧力容器１０を一定の回数以上振ることによってガス２２と消去性インキ２０を充分に混合させた後、前記プッシュボタン１４を押して噴射ノズル３０を開放させればガス２２が噴射され、消去性インキも共に噴霧状態で噴射ノズル３０を通じて噴射される。
【００１５】
つまり、圧力容器１０内部の圧力が大気圧より大きければ、噴射ノズル３０が開放されて大気圧より大きい圧力を有するガスが圧力差によって外部に排出される。前記のように消去性インキ２０がガス２２と混合されて噴霧状態で噴射される原理は一般的な噴霧器の作動原理と同一であるので詳細な説明は省略する。
【００１６】
消去性インキ２０において、前記溶剤の含量は大略１０〜８０重量％程度の範囲で設定し、好ましくは大略３０〜５０重量％程度の範囲に設定する。
【００１７】
前記溶剤としては、エタノール、プロパノール、イソプロパノール、ブタノール及びイソブタノールなどからなるアルコール類、メチルグリコール、ブチルグリコール、プロピレングリコールモノメチルエーテル、プロピレングリコール及びモノエチルエーテルなどからなるグリコールエーテル類、酢酸ブチル及び酢酸エチルなどからなるエステル類、メチルエチルケトン及びメチルイソブチルケトンなどからなるケトン類などから選定して使用する。
【００１８】
前記剥離剤としては常温で液状であるイソステアリン酸イソセチル及びパルミチン酸イソセチルなどの高級脂肪酸エステルなどエステル化合物から選定して使用する。前記剥離剤の含量は大略０．５〜２０重量％程度の範囲で設定する。
【００１９】
前記着色剤の含量は大略１〜５０重量％程度の範囲で設定し、好ましくは大略１０〜３０重量％程度の範囲に設定する。前記着色剤としては染料と顔料との全てが使用可能であり、特にデコレーション（装飾）などの用途として用いる場合には蛍光顔料を用いるのが好ましい。前述した着色剤である蛍光顔料の含量が１重量％未満である場合には所望の濃度の蛍光色相が得られず、５０重量％を超える場合には粘度の増加で使用が不能になる。
【００２０】
前記蛍光顔料としてはポリ塩化ビニル（ＰＶＣ）、ポリアミド、ベンゾグアミン及びメラミンなどの樹脂をベースレジンとして使用したものの中から選択する。そして、消去性インキ２０はその他の添加剤として樹脂、湿潤剤、界面活性剤、防腐剤、防錆剤、ＰＨ調整剤などを適当量添加することも可能である。前記のように構成される消去性インキ２０は溶剤、剥離剤、着色剤、樹脂などをボールミルや３本ロールなどを利用して均一に混合して製造する。
【００２１】
次に、前記のように構成される消去性インキ２０の試料を製造して消去性を実験した。
【００２２】
ここで、溶剤としてエタノール６０重量％、着色剤としてポリ塩化ビニルでコーティングされた蛍光顔料２０重量％、剥離剤としてイソステアリン酸イソセチル１０重量％、樹脂としてポリビニルブチラル樹脂１０重量％をボールミルに投入して常温で１時間攪拌し、本発明による消去性インキの実施例１を得た。
【００２３】
また、溶剤としてエタノール５０重量％、着色剤としてポリアミドでコーティングされた蛍光顔料３０重量％、剥離剤としてイソステアリン酸イソセチル１０重量％、樹脂としてポリビニルブチラル樹脂１０重量％をボールミルに投入して常温で１時間攪拌し、本発明による消去性インキの実施例２を得た。
【００２４】
そして、溶剤としてエタノール６０重量％、着色剤としてカーボンブラック２０重量％、剥離剤としてイソステアリン酸イソセチル１０重量％、樹脂としてポリビニルブチラル樹脂１０重量％をボールミルに投入して常温で１時間攪拌し、消去性インキの実施例３を得た。
【００２５】
前記実施例１、実施例２、実施例３の消去性インキ２０を各々前記圧力容器１０にＬＰＧガス２２と共に充填し、非吸水性の筆記板に描画した後、初期消去性と経時消去性を試験し、その結果を次の表１に示した。
【表１】
2004089983.tif 000003
【００２６】
前記で初期消去性は筆記板に描画してから１０分が経過した後、筆記板用消しゴムを利用して２００ｇの荷重で擦った場合、何回目に完全に消去されたかを試験した結果であり、１〜２回目に消去されれば“○”で表記し、３〜４回目に消去されれば“△”で表記し、５回目以降に消去されれば“×”で表記した。
【００２７】
また、経時消去性は筆記板に描画して１０日が経過した後、筆記板用消しゴムで２００ｇの荷重で擦った場合、何回目に完全に消去されたかを試験した結果であり、１〜２回に消去が行われれば“○”で表記し、３〜４回目に消去されれば“△”で表記し、５回目以降に消去されれば“×”で表記した。
【００２８】
前記表１から本発明による消去性インキは初期消去性及び経時消去性に優れたことが確認できた。つまり、筆記板用消しゴムで３、４回程度擦れば消去されることを確認することができる。
【００２９】
したがって、本発明の消去性インキ内蔵噴霧器を利用して自動車、家庭または商店のガラス窓、案内板などに利用者が望む文様や文字を噴射して描画し、目的を達成した後にはこれを除去・消去することが可能である。
【００３０】
以上より本発明による消去性インキ内蔵噴霧器の好ましい実施の形態について説明したが、本発明はこれに限定されず、特許請求の範囲と発明の詳細な説明及び添付した図面の範囲内で多様に変形して実施することが可能であり、これも本発明の範囲に属する。
【００３１】
【発明の効果】
以上説明したように、本発明による消去性インキが内蔵された噴霧器によれば、消去が可能であるので新郎新婦の自動車、行事車両、商店や陳列棚などのガラス窓などに自身が望む形状に様々な色で描画することが可能であり、目的を達成した後にはこれをきれいに消去することも可能である。したがって、噴霧器の用途をより広く拡張することが可能である。また、消去性インキの着色剤として蛍光顔料を使用する場合、蛍光色が同時に現われるので使用者や見る者の好奇心を呼びおこす程度を高くできる。
【００３２】
そして、本発明による消去性インキ内蔵噴霧器は機械や設備などの表面に注意事項や緊急な連絡事項などを記載して、必要のない場合には消すことが可能である。この場合に蛍光顔料を用いれば、蛍光色が発現されるので視認性が優れていて効果的に他の人に知らせることができる利点がある。
【図面の簡単な説明】
【図１】本発明による消去性インキが内蔵された噴霧器の一実施の形態を示す部分断面側面図である。
【符号の説明】
１０　圧力容器
１２　吸入管
１４　プッシュボタン
２０　消去性インキ
２２　ガス
３０　噴射ノズル
【図１】
2004089983.tif 000004